【手続補正書】
【提出日】令和2年4月6日(2020.4.6)
【手続補正１】
【補正対象書類名】特許請求の範囲
【補正対象項目名】全文
【補正方法】変更
【補正の内容】
【特許請求の範囲】
【請求項１】
車両が事故事象に遭遇した際の状況に関する状況情報及び当該事故事象に関する事故種別を含む事故情報を取得する取得手段と、
前記状況情報による分類毎の前記事故種別の構成比が、複数の前記分類を統合した場合の当該事故種別の構成比よりも高い事故種別のうち少なくとも一部を、当該状況における警戒事故種別として特定する特定手段と、
前記警戒事故種別を含む警告情報を出力する出力手段と、
を備える情報処理装置。
【請求項２】
端末装置から前記端末装置の位置情報を含む要求情報を受信する受信手段と、
前記要求情報に応じた前記警告情報を前記端末装置に送信する送信手段と、
を更に備える請求項１に記載の情報処理装置。
【請求項３】
前記特定手段は、前記分類毎の前記事故種別の構成比が、複数の前記分類を統合した場合の当該事故種別の構成比よりも所定値以上高い事故種別を、前記警戒事故種別として特定することを特徴とする請求項１又は２に記載の情報処理装置。
【請求項４】
前記状況情報は、前記車両の位置情報、日時情報、天候情報、前記車両の運転手の年齢又は性別のいずれかを含むことを特徴とする請求項１乃至３のいずれか一項に記載の情報処理装置。
【請求項５】
前記送信手段は、複数の前記状況情報に基づいて、前記警戒事故種別を含む警告情報を前記端末装置に送信することを特徴とする請求項２に記載の情報処理装置。
【請求項６】
予め特定した警戒事故種別を、前記状況情報に関連付けて記憶する記憶手段を更に備えることを特徴とする請求項１乃至５のいずれか一項に記載の情報処理装置。
【請求項７】
情報処理装置と、車載端末とを備える情報処理システムであって、
前記情報処理装置は、
車両が事故事象に遭遇した際の状況に関する状況情報及び当該事故事象に関する事故種別を含む事故情報を取得する取得手段と、
前記状況情報による分類毎の前記事故種別の構成比が、複数の前記分類を統合した場合の当該事故種別の構成比よりも高い事故種別のうち少なくとも一部を、当該状況における警戒事故種別として特定する特定手段と、
前記警戒事故種別と、前記警戒事故種別を含む警告を行うための、前記車載端末を搭載した車両の運転状況に関する判定条件と含む警告情報を送信する送信手段と、
を備え、
前記車載端末は、
前記警告情報を受信する受信手段と、
前記車載端末を搭載した車両の運転状況を取得する運転状況取得手段と、
前記運転状況取得手段が取得した運転状況が前記判定条件を満たす場合に、前記警告を行う警告手段と、
を備える情報処理システム。
【請求項８】
情報処理装置により実行される情報処理方法であって、
車両が事故事象に遭遇した際の状況に関する状況情報及び当該事故事象に関する事故種別を含む事故情報を取得する取得工程と、
前記状況情報による分類毎の前記事故種別の構成比が、複数の前記分類を統合した場合の当該事故種別の構成比よりも高い事故種別のうち少なくとも一部を、当該状況における警戒事故種別として特定する特定工程と、
前記警戒事故種別を含む警告情報を出力する出力工程と、
を備える情報処理方法。
【請求項９】
コンピュータを備える情報処理装置により実行されるプログラムであって、
車両が事故事象に遭遇した際の状況に関する状況情報及び当該事故事象に関する事故種別を含む事故情報を取得する取得手段、
前記状況情報による分類毎の前記事故種別の構成比が、複数の前記分類を統合した場合の当該事故種別の構成比よりも高い事故種別のうち少なくとも一部を、当該状況における警戒事故種別として特定する特定手段、
前記警戒事故種別を含む警告情報を出力する出力手段、
として前記コンピュータを機能させるプログラム。
【請求項１０】
請求項９に記載のプログラムを記憶した記憶媒体。
【手続補正２】
【補正対象書類名】明細書
【補正対象項目名】０００６
【補正方法】変更
【補正の内容】
【０００６】
請求項１に記載の発明は、情報処理装置であって、車両が事故事象に遭遇した際の状況に関する状況情報及び当該事故事象に関する事故種別を含む事故情報を取得する取得手段と、前記状況情報による分類毎の前記事故種別の構成比が、複数の前記分類を統合した場合の当該事故種別の構成比よりも高い事故種別のうち少なくとも一部を、当該状況における警戒事故種別として特定する特定手段と、前記警戒事故種別を含む警告情報を出力する出力手段と、を備える。
【手続補正３】
【補正対象書類名】明細書
【補正対象項目名】０００７
【補正方法】変更
【補正の内容】
【０００７】
請求項７に記載の発明は、情報処理装置と、車載端末とを備える情報処理システムであって、前記情報処理装置は、車両が事故事象に遭遇した際の状況に関する状況情報及び当該事故事象に関する事故種別を含む事故情報を取得する取得手段と、前記状況情報による分類毎の前記事故種別の構成比が、複数の前記分類を統合した場合の当該事故種別の構成比よりも高い事故種別のうち少なくとも一部を、当該状況における警戒事故種別として特定する特定手段と、前記警戒事故種別と、前記警戒事故種別を含む警告を行うための、前記車載端末を搭載した車両の運転状況に関する判定条件と含む警告情報を送信する送信手段と、を備え、前記車載端末は、前記警告情報を受信する受信手段と、前記車載端末を搭載した車両の運転状況を取得する運転状況取得手段と、前記運転状況取得手段が取得した運転状況が前記判定条件を満たす場合に、前記警告を行う警告手段と、を備える。
【手続補正４】
【補正対象書類名】明細書
【補正対象項目名】０００８
【補正方法】変更
【補正の内容】
【０００８】
請求項８に記載の発明は、情報処理装置により実行される情報処理方法であって、車両が事故事象に遭遇した際の状況に関する状況情報及び当該事故事象に関する事故種別を含む事故情報を取得する取得工程と、前記状況情報による分類毎の前記事故種別の構成比が、複数の前記分類を統合した場合の当該事故種別の構成比よりも高い事故種別のうち少なくとも一部を、当該状況における警戒事故種別として特定する特定工程と、前記警戒事故種別を含む警告情報を出力する出力工程と、を備える。
【手続補正５】
【補正対象書類名】明細書
【補正対象項目名】０００９
【補正方法】変更
【補正の内容】
【０００９】
請求項９に記載の発明は、コンピュータを備える情報処理装置により実行されるプログラムであって、車両が事故事象に遭遇した際の状況に関する状況情報及び当該事故事象に関する事故種別を含む事故情報を取得する取得手段、前記状況情報による分類毎の前記事故種別の構成比が、複数の前記分類を統合した場合の当該事故種別の構成比よりも高い事故種別のうち少なくとも一部を、当該状況における警戒事故種別として特定する特定手段、前記警戒事故種別を含む警告情報を出力する出力手段、として前記コンピュータを機能させる。
【手続補正６】
【補正対象書類名】明細書
【補正対象項目名】００４４
【補正方法】変更
【補正の内容】
【００４４】
次に、サーバ１０は、以下の式により、地点毎の総計における事故種別毎の構成比（以下、「時間帯別構成比」とも呼ぶ。）を算出する。
【数３】
2018169828.tif 000001
これにより、各時間帯について、事故件数の総計に対して各事故種別が占める割合（構成割合）が算出される。図５（Ａ）の例について算出された時間帯別構成比を図６（Ａ）に示す。